(57)【要約】【課題】携帯通信機器において、アンテナ部周囲の剛性を利用してストラップを取付可能とする。【解決手段】本体ケース１の端部にアンテナ部２を備える携帯通信機器であって、本体ケース１の端部でアンテナ部２の近傍に、ストラップ取付用の通し孔１３を形成して、アンテナ部２の周囲を、ストラップを通し孔１３に通して巻き付ける巻付部１４とする。この巻付部１４は、アンテナポール（２３）を挿通して可動に支持するアンテナホルダ２４である。なお、通し孔１３及び巻付部１４は、本体ケース１の隅部に沿って形成されている。【選択図】図１
2005295222.tif 000002
【特許請求の範囲】
【請求項１】
本体端部にアンテナ部を備える携帯通信機器であって、
前記本体端部の前記アンテナ部近傍に、ストラップ取付用の通し孔を形成するとともに、
前記アンテナ部周囲を、ストラップを前記通し孔に通して巻き付ける巻付部としたことを特徴とする携帯通信機器。
【請求項２】
前記巻付部は、前記アンテナを挿通して可動に支持するアンテナホルダ、前記アンテナを固定する支柱、前記アンテナを内蔵する本体ケースもしくはアンテナブロック、または前記アンテナ自身のいずれかにより形成されることを特徴とする請求項１に記載の携帯通信機器。
【請求項３】
前記通し孔及び巻付部は、前記本体の隅部または一端部に沿って形成されていることを特徴とする請求項１または２に記載の携帯通信機器。
【発明の詳細な説明】
【技術分野】
【０００１】
本発明は、ストラップの取付部を備える携帯通信機器に関する。
【背景技術】
【０００２】
携帯電話機に代表される携帯通信機器には、引出し式アンテナを備えたものや、固定式アンテナを備えたもの、内蔵式アンテナを備えたものなどがある。
従来の携帯通信機器において、ハンドストラップを取り付けるため掛け紐の通し孔は、本体ケースの端部や隅部等に形成されていた（例えば特許文献１参照）。
【特許文献１】特開２００１−１６０８５１号公報
【発明の開示】
【発明が解決しようとする課題】
【０００３】
ハンドストラップの取り付けは、掛け紐を本体ケースの通し孔に通して端部や隅部等に巻き付けるため、その掛け紐を巻き付ける巻付部（連結部）は剛性を高める必要があった。
【０００４】
本発明の課題は、携帯通信機器において、アンテナ部周囲の剛性を利用してストラップを取付可能とすることである。
【課題を解決するための手段】
【０００５】
以上の課題を解決するため、請求項１に記載の発明は、例えば図１及び図２に示すように、本体（例えば本体ケース）１端部にアンテナ部２を備える携帯通信機器であって、前記本体１端部の前記アンテナ部２近傍に、ストラップ取付用の通し孔１３を形成するとともに、前記アンテナ部２周囲を、ストラップを前記通し孔１３に通して巻き付ける巻付部１４としたことを特徴とする。
【０００６】
請求項１に記載の発明によれば、本体端部のアンテナ部近傍に通し孔を形成して、アンテナ部周囲をストラップの巻付部としたので、ストラップを本体端部の通し孔に通してアンテナ部周囲に巻き付けることができる。すなわち、アンテナ部周囲の剛性を利用してストラップを装着できる。
【０００７】
請求項２に記載の発明は、請求項１に記載の携帯通信機器であって、前記巻付部１４は、例えば図１及び図２に示すように、前記アンテナ（例えばアンテナポール２３）を挿通して可動に支持するアンテナホルダ２４、例えば図３に示すように、前記アンテナ（例えばヘリカルアンテナ３２）を固定する支柱３４、例えば図４から図１０に示すように、前記アンテナ（例えばアンテナ部材６１・７１・９１）を内蔵する本体ケース５（例えばアンテナカバー部５２）もしくはアンテナブロック７２・９２、または前記アンテナ自身（例えばアンテナ部材８４）のいずれかにより形成されることを特徴とする。
【０００８】
請求項２に記載の発明によれば、アンテナホルダ、アンテナの固定支柱、アンテナ内蔵の本体ケースやアンテナブロックまたはアンテナ自身を利用することにより、ストラップを巻き付けて装着できる。
【０００９】
請求項３に記載の発明は、請求項１または２に記載の携帯通信機器であって、例えば図１及び図２、または図４から図６に示すように、前記通し孔１３及び巻付部１４は、前記本体１の隅部または一端部に沿って形成されていることを特徴とする。
【００１０】
請求項３に記載の発明によれば、本体の隅部または一端部に沿って形成された通し孔及び巻付部により、本体の隅部または一端部に沿った位置にストラップを装着できる。
【発明の効果】
【００１１】
本発明によれば、ストラップを本体端部の通し孔に通してアンテナ部周囲に巻き付けることができ、すなわち、アンテナ部周囲の剛性を利用してストラップを装着できる。
【発明を実施するための最良の形態】
【００１２】
以下、図を参照して本発明を実施するための最良の形態を詳細に説明する。
（実施形態１）
本発明を適用した携帯通信機器の実施形態１の構成として携帯電話機のアンテナ部及びストラップ取付部を示した図１及び図２において、１は本体ケース、１１は切欠部、１２は凹部、１３は通し孔、１４は巻付部、２はアンテナ部、２１はアンテナトップ、２２は給電端子部、２３はアンテナポール、２４はアンテナホルダ、２５は給電用スリーブ、２６は給電用コイルスプリング、２７は給電用板バネ、２８・２９は防水パッキン（Ｏリング）である。
【００１３】
この実施形態１は、図示のように、引出し式アンテナ（アンテナ部２）を備える携帯電話機に適用したものである。
すなわち、本体ケース１の上部の一隅部において、一側部に切欠部１１が形成されていて、その上方には上面からの凹部１２が形成されている。この凹部１２にアンテナ部２のアンテナトップ２１が収納可能となっている。
アンテナ部２は、図２に示すように、径を若干大きくした給電端子部１２を下端に備えるアンテナポール２３をアンテナトップ２１にねじ込んで結合したものである。アンテナポール２３は、凹部１２から切欠部１１を通して本体ケース１内に挿入した金属製のアンテナホルダ２４の筒状部内に挿通されている。
【００１４】
アンテナホルダ２４の本体ケース１内に突出した下端部は、金属製の給電用スリーブ２５にねじ込んで結合されている。給電スリーブ２５は、内部に金属製の給電用コイルスプリング２６を収納して下端を小径に形成したもので、外周面に給電用板バネ２７が接触している。給電用板バネ２７は図示しないＲＦ回路に接続されている。
なお、給電用スリーブ２５内において、アンテナホルダ２４下端部と給電用コイルスプリング２６との間に防水パッキンとして上下２段のＯリング２８が介装されている。また、給電用スリーブ２５上端部と本体ケース１との間にも防水パッキンとしてＯリング２９が介装されている。
【００１５】
アンテナ部２は、アンテナトップ２１を最大に引き出した状態で、アンテナポール２３下端の給電端子部１２が給電スリーブ２５下端の小径部及び給電用コイルスプリング２６に接続した給電状態となる。また、アンテナトップ２１を凹部１２に収納した状態では、アンテナポール２３の外周に給電用コイルスプリング２６が接続した給電状態となる。このようなアンテナポール２３外周に給電用コイルスプリング２６が接続した給電状態は、アンテナトップ２１を最大に引き出すまで維持される。
【００１６】
以上のような引出し式のアンテナ部２を備える携帯電話機は、そのアンテナホルダ２４と本体ケース１の切欠部１１の奥部との間がストラップ取付用の通し孔１３となっていて、切欠部１１内のアンテナホルダ２４外周がストラップ取付用の巻付部１４となっている。
従って、例えばハンドストラップやネックストラップの掛け紐を、アンテナホルダ２４と本体ケース１の切欠部１１の奥部との間の通し孔１３に通してから、巻付部１４としてのアンテナホルダ２４外周に巻き付けることで、携帯電話機の本体ケース１にストラップを装着できる。
【００１７】
以上の通り、アンテナ部２周囲の剛性、具体的には、アンテナホルダ２４の剛性を利用してストラップを装着できるものとなる。
なお、アンテナホルダ２４は、金属製でなくても良く、適度の剛性を具備する樹脂製等であっても良い。
【００１８】
（実施形態２）
この実施形態２は、図３に示すように、固定式アンテナ（アンテナ部３）を備える携帯電話機に適用したものである。
すなわち、アンテナ部３は、本体ケース１の凹部１２に収納固定されるアンテナトップ３１内にヘリカルアンテナ３２を埋め込むとともに金属製の固定支柱３４の上端部を埋め込んだものである。固定支柱３４は凹部１２から切欠部１１を通して本体ケース１内に挿入されている。
固定支柱３４の本体ケース１内に突出した下端部は、金属製の給電用スリーブ３５にねじ込んで結合されている。給電スリーブ３５の外周面に、ＲＦ回路に接続された給電用板バネ３７が接触している。給電用スリーブ３５上端部と本体ケース１との間に防水パッキンとしてＯリング３９が介装されている。
【００１９】
このような固定式のアンテナ部３を備える携帯電話機も、そのアンテナ部３の固定支柱３４と本体ケース１の切欠部１１の奥部との間がストラップ取付用の通し孔１３となっていて、切欠部１１内の固定支柱３４外周がストラップ取付用の巻付部１４となっている。
従って、例えばハンドストラップやネックストラップの掛け紐を、アンテナ部３の固定支柱３４と本体ケース１の切欠部１１の奥部との間の通し孔１３に通してから、巻付部１４としての固定支柱３４外周に巻き付けることで、携帯電話機の本体ケース１にストラップを装着できる。
【００２０】
以上の通り、アンテナ部３周囲の剛性、具体的には、固定支柱３４の剛性を利用してストラップを装着できるものとなる。
【００２１】
（実施形態３）
本発明を適用した携帯通信機器の実施形態３の構成として携帯電話機を示した図４から図６において、４は蓋体ケース、４１は表示部、５は本体ケース、５１は回路基板、５２はアンテナカバー部、５３は通し孔、５４は巻付部、６はアンテナ部、６１はアンテナ部材、Ｓ１はストラップである。
【００２２】
この実施形態３は、図示のように、内蔵式アンテナ（アンテナ部６）を備える携帯電話機に適用したものである。
すなわち、表示部４１を備える蓋体ケース４が開閉自在に組み付けられた本体ケース５は、上端部に沿って内蔵式のアンテナ部６を備えている。アンテナ部６は、図６に示したように、本体ケース５内に収容される回路基板５１に接続した金属製のアンテナ部材６１をインサート成型により、本体ケース５と樹脂一体成形されるアンテナカバー部５２で覆ったものである。
なお、アンテナ部材６１の回路基板５１への接点部としては、板バネ、ピン端子、同軸ケーブル接続等が挙げられる。
【００２３】
そして、本体ケース５の上端部には、アンテナ部６、すなわち、アンテナカバー部５２により囲まれたストラップ取付用の細長い通し孔５３が形成されていて、アンテナ部６のアンテナ部材６１を通したアンテナカバー部５２がストラップ取付用の巻付部５４となっている。
従って、図５に示したように、例えば幅広タイプのハンドストラップＳ１を、本体ケース５のアンテナカバー部５２により囲まれた通し孔５３に通してから、巻付部５４としてのアンテナカバー部５２に巻き付けることができる。つまり、折畳み式携帯電話機の本体ケース５に幅広タイプのハンドストラップＳ１を装着できる。
【００２４】
以上の通り、アンテナ部６周囲の剛性、具体的には、内蔵式のアンテナ部材６１及びそのアンテナカバー部５２の剛性を利用して幅広タイプのハンドストラップＳ１を装着できるものとなる。
なお、この実施形態３では、本体ケース５のアンテナ部６との間にストラップ取付用の細長い通し孔５３を形成したことで、回路基板５１上の回路及び電子基板、電池、音響装置、バイブレータやネジなどの各種部品に対し、内蔵式のアンテナ部６を遠ざけて配置してアンテナ感度を保つことができる。
【００２５】
図７は実施形態３のストラップ取付部（通し孔５３）の変形例を示すものである。
先ず、図７（ａ）は、幅広タイプのハンドストラップＳ２の他、一般的なハンドストラップＳ３の取付例を示したもので、すなわち、前記細長い通し孔５３を左右の仕切り部５５により中間部の幅が広い通し孔５３ａと両端部の幅が狭い通し孔５３ｂとに３分割している。
従って、図示したように、中間部の幅が広い通し孔５３ａに幅広タイプのハンドストラップＳ２を通して装着できるとともに、端部の幅が狭い通し孔５３ｂに一般的なハンドストラップＳ３の掛け紐Ｓ３ａを通して装着できる。
【００２６】
そして、図７（ｂ）は、ネックストラップＳ４の取付例を示したもので、図示したように、両端部の幅が狭い通し孔５３ｂにネックストラップＳ４の両端部の掛け紐Ｓ４ａを各々通して装着できる。この場合、ネックストラップＳ４に対し一方の掛け紐Ｓ４ａの止め金具Ｓ４ｂがねじ構造により着脱可能となっている。
こうして、幅広タイプのハンドストラップＳ２、一般的なハンドストラップＳ３、ネックストラップＳ４といった３種類のストラップに対応できる。
【００２７】
また、図７（ｃ）は、一般的なハンドストラップＳ３の他の取付例を示したもので、すなわち、前記細長い通し孔５３を中央の仕切り部５５により左右の幅が広い通し孔５３ｃに２分割している。
従って、左右の幅が広い通し孔５３ｃに前記幅広タイプのハンドストラップＳ２や一般的なハンドストラップＳ３の掛け紐Ｓ３ａや前記ネックストラップＳ４の両端部の掛け紐Ｓ４ａを通して装着できる。
また、図示したように、左右の通し孔５３ｃに一般的なハンドストラップＳ３の掛け紐Ｓ３ａを通して中央の仕切り部５５に巻き付けることにより装着することもできる。
なお、前述した図７（ａ）及び（ｂ）において、中間部の通し孔５３ａ及び端部の通し孔５３ｂに一般的なハンドストラップＳ３の掛け紐Ｓ３ａやネックストラップＳ４の両端部の掛け紐Ｓ４ａを通して左右の仕切り部５５に巻き付けることにより装着することもできる。
【００２８】
（実施形態４）
この実施形態４は、図８に示すように、内蔵式アンテナ（アンテナ部７）を備える携帯電話機に適用したものである。
すなわち、前述した本体ケース５は、上端部に沿って内蔵式のアンテナ部７を備えている。アンテナ部７は、図示したように、本体ケース５内の回路基板５１に接続した金属製のアンテナ部材７１をインサート成型により、本体ケース５と別体のアンテナブロック７２で覆ったものである。
なお、前述した実施形態３と同様、アンテナ部材７１の回路基板５１への接点部としては、板バネ、ピン端子、同軸ケーブル接続等が挙げられる。
【００２９】
アンテナブロック７２は、回路基板５１及び本体ケース５内の図示しない中ケースなどのケースに共締め固定される取付ボス７６を樹脂一体成形したもので、本体ケース５内に挿入する嵌合部に防水パッキンとしてＯリング７７が介装されている。
【００３０】
そして、以上のアンテナブロック７２は、アンテナ部７、すなわち、アンテナ部材７１に沿ってストラップ取付用の細長い通し孔７３が形成されていて、アンテナ部材７１を通して覆った部分がストラップ取付用の巻付部７４となっている。
従って、前述したような各種のストラップを、アンテナブロック７２により囲まれた通し孔７３に通してから、巻付部７４としてアンテナブロック７２部分に巻き付けることができる。つまり、折畳み式携帯電話機の本体ケース５に一体化したアンテナブロック７２に各種ストラップを装着できる。
【００３１】
以上の通り、アンテナ部７周囲の剛性、具体的には、内蔵式のアンテナ部材７１及びそのアンテナブロック７２の剛性を利用して各種ストラップを装着できるものとなる。
なお、この実施形態４でも、前述した実施形態３と同様、本体ケース５と一体化したアンテナブロック７２にストラップ取付用の細長い通し孔７３を形成したことで、回路基板５１上の回路及び電子基板、電池、音響装置、バイブレータやネジなどの各種部品に対し、内蔵式のアンテナ部７を遠ざけて配置してアンテナ感度を保つことができる。
【００３２】
（実施形態５）
この実施形態５は、図９に示すように、露出式アンテナ（アンテナ部８）を備える携帯電話機に適用したものである。
すなわち、前述した本体ケース５は、上端部に沿って露出式のアンテナ部８を備えている。アンテナ部８は、図示したように、本体ケース５の上端部に沿って組み付けた金属製のアンテナ部材８１を、本体ケース５内の回路基板５１に接続したアンテナバネ接点８５に接触状態としたものである。
【００３３】
アンテナ部材８１は、ロッド状のもので、本体ケース５の上端部左右の突出部５６・５７を貫通して取り付けられている。アンテナ部材８１は、一端の大径部８１ａを一方の突出部５６に一側方からねじ込んで固定する一方、他端を他方の突出部５７に一側方から本体ケース５内に貫通してアンテナバネ接点８５に接触させるとともに、フランジ８１ｂと突出部５７との間に防水パッキンとしてＯリング５８を介装している。
【００３４】
そして、以上のアンテナ部材８１と本体ケース５との間に沿ってストラップ取付用の細長い通し孔８３が形成されていて、アンテナ部材８１のロッド状部分がストラップ取付用の巻付部８４となっている。
従って、前述したような各種のストラップを、本体ケース５とアンテナ部材８１により囲まれた通し孔８３に通してから、巻付部８４としてアンテナ部材８１自身に巻き付けることができる。つまり、折畳み式携帯電話機の本体ケース５に一体化したアンテナ部材８１に各種ストラップを装着できる。
【００３５】
以上の通り、アンテナ部８の剛性、具体的には、露出式のアンテナ部材８１自身の剛性を利用して各種ストラップを装着できるものとなる。
なお、この実施形態５でも、前述した実施形態３と同様、本体ケース５とアンテナ部材８１との間にストラップ取付用の細長い通し孔８３を形成したことで、回路基板５１上の回路及び電子基板、電池、音響装置、バイブレータやネジなどの各種部品に対し、露出式のアンテナ部８を遠ざけて配置してアンテナ感度を保つことができる。
【００３６】
（実施形態６）
この実施形態６は、図１０に示すように、内蔵式アンテナ（アンテナ部９）を備える携帯電話機に適用したものである。
すなわち、前述した本体ケース５は、上端部に沿って内蔵式のアンテナ部９を備えている。アンテナ部９は、図示したように、金属製のアンテナ部材９１をインサート成型により、本体ケース５と別体のアンテナブロック９２で先端部を除いて覆ったもので、ロッド状のアンテナ部材９１を本体ケース５内の回路基板５１に接続したアンテナバネ接点８５に接触状態としている。
【００３７】
アンテナブロック９２は、ロッド状のもので、本体ケース５の上端部左右の突出部５９・５７を貫通して取り付けられている。アンテナブロック９２は、一端の大径部９２ａを一方の突出部５９に一側方から貫通して固定リング９５で固定する一方、他端と突出部５７との間に防水パッキンとしてＯリング５８を介装している。また、アンテナ部材９１のアンテナブロック９２から突出した先端部は、突出部５７から本体ケース５内に貫通してアンテナバネ接点８５に接触状態となっている。
【００３８】
そして、以上のアンテナブロック９２と本体ケース５との間に沿ってストラップ取付用の細長い通し孔９３が形成されていて、アンテナブロック９２のアンテナ部材９１を通して覆った部分がストラップ取付用の巻付部９４となっている。
従って、前述したような各種のストラップを、本体ケース５とアンテナブロック９２により囲まれた通し孔９３に通してから、巻付部９４としてアンテナ部材９１を覆う部分に巻き付けることができる。つまり、折畳み式携帯電話機の本体ケース５に一体化したアンテナブロック９２に各種ストラップを装着できる。
【００３９】
以上の通り、アンテナ部９の剛性、具体的には、内蔵式のアンテナブロック９２の剛性を利用して各種ストラップを装着できるものとなる。
なお、この実施形態６でも、前述した実施形態３と同様、本体ケース５とアンテナ部材９１との間にストラップ取付用の細長い通し孔９３を形成したことで、回路基板５１上の回路及び電子基板、電池、音響装置、バイブレータやネジなどの各種部品に対し、内蔵式のアンテナ部９を遠ざけて配置してアンテナ感度を保つことができる。
【００４０】
なお、以上の実施形態においては、携帯電話機としたが、本発明はこれに限定されるものではなく、ＰＤＡなど他の携帯通信機器であっても良い。
また、本体やアンテナ部のデザイン等も任意であり、その他、具体的な細部構造等についても適宜に変更可能であることは勿論である。
【図面の簡単な説明】
【００４１】
【図１】本発明を適用した携帯通信機器の実施形態１の構成を示すもので、携帯電話機のアンテナ部及びストラップ取付部を示した要部概略斜視図である。
【図２】図１のアンテナ部及びストラップ取付部の拡大縦断正面図である。
【図３】実施形態２を示すもので、アンテナ部及びストラップ取付部の拡大縦断正面図である。
【図４】本発明を適用した携帯通信機器の実施形態３の構成を示すもので、携帯電話機の概略斜視図である。
【図５】図４の携帯電話機に幅広タイプのストラップを取り付けた状態を示した斜視図である。
【図６】図４の携帯電話機のアンテナ部及びストラップ取付部を示した縦断正面図である。
【図７】図４のストラップ取付部の変形例を示すもので、幅広タイプのストラップの他、一般的なハンドストラップの取付例を示した簡略正面図（ａ）、ネックストラップの取付例を示した簡略正面図（ｂ）、一般的なハンドストラップの他の取付例を示した簡略正面図（ｃ）である。
【図８】本発明を適用した携帯通信機器の実施形態４の構成を示すもので、携帯電話機のアンテナ部及びストラップ取付部を示した要部縦断正面図である。
【図９】本発明を適用した携帯通信機器の実施形態５の構成を示すもので、携帯電話機のアンテナ部及びストラップ取付部を示した要部縦断正面図である。
【図１０】本発明を適用した携帯通信機器の実施形態６の構成を示すもので、携帯電話機のアンテナ部及びストラップ取付部を示した要部縦断正面図である。
【符号の説明】
【００４２】
１  本体（本体ケース）
１１  切欠部
１３  通し孔
１４  巻付部
２  アンテナ部（引出し式アンテナ）
２１  アンテナトップ
２３  アンテナポール
２４  アンテナホルダ
３  アンテナ部（固定式アンテナ）
３１  アンテナトップ
３２  ヘリカルアンテナ
３４  固定支柱
５  本体（本体ケース）
５１  回路基板
５２  アンテナカバー部
５３  通し孔
５４  巻付部
６  アンテナ部（内蔵式アンテナ）
６１  アンテナ部材
７  アンテナ部（内蔵式アンテナ）
７１  アンテナ部材
７２  アンテナブロック
７３  通し孔
７４  巻付部
８  アンテナ部（露出式アンテナ）
８１  アンテナ部材
８３  通し孔
８４  巻付部
９  アンテナ部（内蔵式アンテナ）
９１  アンテナ部材
９２  アンテナブロック
９３  通し孔
９４  巻付部
【図１】
2005295222.tif 000003
【図２】
2005295222.tif 000004
【図３】
2005295222.tif 000005
【図４】
2005295222.tif 000006
【図５】
2005295222.tif 000007
【図６】
2005295222.tif 000008
【図７】
2005295222.tif 000009
【図８】
2005295222.tif 000010
【図９】
2005295222.tif 000011
【図１０】
2005295222.tif 000012